(57)【特許請求の範囲】
【請求項１】
容器本体と蓋体とをそれぞれの後端縁部で開閉自在に連結してなる化粧料容器において、該容器本体内に形成した凹部内に、該容器本体後方への摺動用空間を空けて、摺動自在に装着される交換皿と、該交換皿と該凹部との間に形成され、該交換皿の摺動を許容しつつ、これら両者を上下方向に互いに係合させて、該交換皿を該凹部内に保持する、突条もしくは突部を含む係合手段と、該係合手段で互いに係合された状態の該交換皿と該凹部との間の間隙に位置させて形成され、該交換皿の摺動に従って、該係合手段の突条もしくは突部が乗り上げることにより該交換皿と該凹部を横方向に互いに離隔させて、該係合手段の係合を解除する係合解除手段とを備えたことを特徴とする化粧料容器。
【請求項２】
前記摺動用空間に形成され、前記交換皿の摺動に従ってこれをリフトアップさせるリフト手段を備えたことを特徴とする請求項１に記載の化粧料容器。
【発明の詳細な説明】
【０００１】
【産業上の利用分野】
本発明は、化粧料容器に関するもので、より具体的には、容器本体と蓋体とをそれぞれの後端縁部で開閉自在に連結してなる化粧料容器に関するものである。
【０００２】
【従来の技術】
従来、この種の化粧料容器においては、化粧料を充填した化粧皿を容器本体内に着脱自在に収納固定するために、実開平２−１０１０号公報に示されるような容器が公知となっている。この公知のコンパクトケースでは、器体と蓋体とが蝶番により開閉自在に蝶着され、器体内に収納凹所が形成され、ここに化粧料を収納した化粧料カートリッジが係合されている。この化粧料カートリッジの前端部には、支持片が前方に突出して形成され、一方、後端部には、保持片が下方に垂下して形成され、それぞれ収納凹所に係合可能になっている。また、器体内の化粧料カートリッジの後方部にはリフィールボタンが上下動自在に形成されている。このリフィールボタンの上端部には、押上片が立設されており、リフィールボタンを器体内に装着した状態では、押圧部が器体の下面から露出した状態で、押上片の上端部は化粧料カートリッジの保持片の下端部に当接している。そして、器体の下面からリフィールボタンを上方に押圧すると押上片の上端部が保持片の下端部を押上げ、これにより器体と化粧料カートリッジの保持片との係合が解除され、さらに化粧料カートリッジの前端部の支持片との係合も解除され、器体から化粧料カートリッジを取り出すことができるようになっている。
【０００３】
また、実開平３−１１９３１２号公報に示されるようなコンパクト容器では、コンパクト基台と蓋体とが蝶番により開閉自在に蝶着され、コンパクト基台内に収納凹所が形成され、ここに化粧料を充填した取り替え可能な中皿が係合している。コンパクト基台内にはガイド部が設けられ、このガイド部に沿って押しボタン部が上下動自在に設けられている。押しボタン部は、コンパクト基台の上端部から底部付近まで下方に延出し、さらに屈曲部を介してその先端部上面が中皿の下面に当接し、押し上げアームを形成している。また、コンパクト基台の底面には段部が設けられ、押しボタン部を押し下げた時、この段部の上面に押し上げアームの中程が当接するようになっている。さらに、中皿の外周面には係合突部が形成され、一方、押し上げアームの上面には突片が立設され、その先端部には中皿の係合突部と係合可能な係合突部が形成されている。そして、押しボタン部を上方から押し下げると、押し上げアームの中程が段部に当接し、屈曲部を介して先端部が上昇して中皿の底部を押上げ、これにより突片が外方に撓んでコンパクト基台と中皿との係合が解除され、中皿を取り出すことができるようになっている。
【０００４】
【発明が解決しようとする課題】
しかしながら、かかる上記従来の化粧料容器にあっては、器体やコンパクト基台と、取り替え用の化粧料カートリッジや中皿との係合を解除するために、リフィールボタンや押しボタン部などの部品が別に必要であり、構造が複雑であるとともに、部品点数が多く、組付工程も複雑で、コストも高くなるといった問題点があった。
【０００５】
本発明は係る従来の問題に鑑みてなされたもので、その目的は、容器本体内に交換皿を容易にかつ確実に装着することができ、一方、衝撃によって交換皿が偶発的に外れたりするおそれがなく、さらに容器本体と交換皿との係合を解除するための別途の組付部品が不要で従って低コストで製造性が良く、そしてさらに脱着性にも優れた化粧料容器を提供することにある。
【０００６】
【課題を解決するための手段】
かかる目的を達成するために本発明に係る化粧料容器では、容器本体と蓋体とをそれぞれの後端縁部で開閉自在に連結してなる化粧料容器において、該容器本体内に形成した凹部内に、該容器本体後方への摺動用空間を空けて、摺動自在に装着される交換皿と、該交換皿と該凹部との間に形成され、該交換皿の摺動を許容しつつ、これら両者を上下方向に互いに係合させて、該交換皿を該凹部内に保持する、突条もしくは突部を含む係合手段と、該係合手段で互いに係合された状態の該交換皿と該凹部との間の間隙に位置させて形成され、該交換皿の摺動に従って、該係合手段の突条もしくは突部が乗り上げることにより該交換皿と該凹部を横方向に互いに離隔させて、該係合手段の係合を解除する係合解除手段とを備えたことを特徴とする。
【０００７】
そしてまた、前記摺動用空間に形成され、前記交換皿の摺動に従ってこれをリフトアップさせるリフト手段を備えたことを特徴とする。
【０００８】
【作用】
上記構成を有する本発明の化粧料容器によれば、容器本体内の凹部と交換皿との間に形成した係合手段がこれら両者を上下方向に互いに係合させて、交換皿が容器本体内に保持される。そして、蓋体を開放した状態で交換皿を摺動用空間に向かって摺動させると、係合手段で互いに係合された状態の交換皿と凹部との間の間隙に位置させて形成された係合解除手段は、交換皿の摺動に従って係合手段の突条もしくは突部がこれに乗り上げることにより、容器本体の凹部と交換皿とを横方向に互いに離隔させるようになり、これにより係合手段による両者の上下方向の係合が外されて、交換皿を凹部から取り出すことができるようになる。
【０００９】
さらに、摺動用空間にリフト手段を形成しているので、交換皿の摺動に従って係合解除手段により係合手段の係合が外される際、交換皿はリフト手段によってリフトアップされ、これにより交換皿を凹部からスムーズに取り出すことができる。
【００１０】
【実施例】
以下、本発明の好適な実施例を図に基づいて詳細に説明する。図１ないし図９は、本発明の第１実施例に係る化粧料容器を示す。本実施例は基本的には、容器本体２０と蓋体１０とをそれぞれの後端縁部で開閉自在に連結してなる化粧料容器において、容器本体２０内に形成した凹部２３内に、容器本体２０後方への摺動用空間Ａを空けて、摺動自在に装着される交換皿３０と、交換皿３０と凹部２３との間に形成され、交換皿３０の摺動を許容しつつ、これら両者２３，３０を上下方向に互いに係合させて、交換皿３０を凹部２３内に保持する係合手段としての凹溝２６及び突条３４と、係合手段で互いに係合された状態の交換皿３０と凹部２３との間の間隙に位置させて形成され、交換皿３０の摺動に従って、係合手段の突条３４が乗り上げることにより交換皿３０と凹部２３を横方向に互いに離隔させて、凹溝２６と突条３４との係合を解除する係合解除手段として機能する凹溝２６の傾斜面２７とを備え、さらに、摺動用空間Ａに形成されて、交換皿３０の摺動に従ってこれをリフトアップさせるリフト手段としての突起２９を備えて構成される。
【００１１】
本実施例の化粧料容器は、図１および図３に示されるように蓋体１０，容器本体２０および交換皿３０より構成されている。蓋体１０は、容器本体２０とそれぞれの後端部でピン１１によって開閉自在に枢着されている。蓋体１０の内面には鏡１２が接着され、前端縁部には爪片１３が垂下形成されている。また、爪片１３の下端内面には、第１の係合突起１４が一体的に形成されている。
【００１２】
容器本体２０の前端部には切欠凹所２１が形成され、その奥面には、蓋体１０の第１の係合突起１４と係合可能な第２の係合突起２２が形成されている。また、容器本体２０の上面には、交換皿３０を収納する凹部２３が形成され、その後壁上面２４は切欠されている。さらに、この凹部２３を画成する両側壁２５，２５の内面には、係合手段を構成する、前後方向に延長する一対の凹溝２６，２６が形成されている。凹溝２６の後端部は図２および図６に示されるように、係合解除手段を構成する、傾斜面２７，２７となっている。凹溝２６，２６の下方部は図４に示されるように、傾斜面２８，２８となっている。さらにまた、容器本体２０の凹部２３の後端部には、底面から突出し、上向きの傾斜面を有する突起２９，２９が形成され、これによりリフト手段が構成されるようになっている。
【００１３】
交換皿３０は、容器本体２０の凹部２３内に収納可能な幅で、前後方向の長さは凹部２３より短く形成され、上面に化粧料を収納する凹所３１および筆等の化粧料付帯品を収納する凹所３２が形成されている。また、交換皿３０の両側壁３３，３３の外面には、係合手段として、前後方向に延長する一対の突条３４，３４が形成されている。この突条３４は、容器本体２０の凹溝２６より短く形成され、その下方部は図６に示されるように、傾斜面３５となっている。また、交換皿３０の後方部上端には、これより後方に向かって水平に延出させて、鍔部３６が一体的に形成されている。
【００１４】
上記のような構成の交換皿３０を水平にして容器本体２０の凹部２３内に上方から押し込むと、交換皿３０および容器本体２０が若干弾性変形して、交換皿３０の突条３４は、その下方部に形成された傾斜面３５を介して、凹部２３の側壁２５間に嵌入し、突条３４は凹溝２６と係合する。このとき、突条３４は凹溝２６の前方に位置し、鍔部３６は容器本体２０の後壁上面２４と当接し、その後端部３７は凹部２３の後端壁外面と面一となるように、交換皿３０が凹部２３内に装着される。さらにこの際、交換皿３０の後壁外面と凹部２３の後壁内面の間には、摺動用空間Ａが形成される。
【００１５】
上記のようにして交換皿３０を容器本体２０に装着した後、容器本体２０と枢着された蓋体１０を閉じると、蓋体１０の第１の係合突起１４と容器本体２０の第２の係合突起２２とが係合し、蓋体１０は図３に示す閉止位置を占める。この際、蓋体１０の後端部内面に交換皿３０の鍔部３６の後端部３７が当接し、これにより交換皿３０は、容器本体２０後方への移動が規制された状態で凹部２３内に収納固定される。
【００１６】
一方、上記のように装着された交換皿３０を外す場合は、図５に示すように、蓋体１０を開放して容器本体２０と水平状態になるように後方へ倒すと、交換皿３０の鍔部３６の後端部３７の、容器本体２０後方への移動規制が解除される。この状態から交換皿３０を後方へ押すと、交換皿３０は摺動用空間Ａ内を後方へ摺動する。そして、交換皿３０の突条３４の後端部が図８および図９に示されるように、凹溝２６の後端部に形成された傾斜面２７に乗り上げることにより、容器本体２０および交換皿３０の側面が互いに弾性変形し、突条３４は、凹溝２６から少なくとも横方向に離脱する。さらに交換皿３０は、容器本体２０の傾斜面突起２９に案内されて後方上方部へ持ち上げられて抜き出され、これにより交換皿３０は容器本体２０から離脱されることとなる。
【００１７】
このように本実施例の化粧料容器によれば、交換皿３０と容器本体２０との係合及び解除のための別部品が不要であり、従って構造が簡単で製造性が良く、低コストで生産することができる。そして、容器本体２０と交換皿３０との係合を解除する際には、蓋体１０を開放した後、交換皿３０を後方へ摺動させるだけでよく、また殊に、凹溝２６の傾斜面２７と凹部２３後端部の傾斜面突起２９とにより、容器本体２０から交換皿３０を離脱させる際、まず容器本体２０と交換皿３０を、傾斜面２７を介して弾性変形させることにより突条３４と凹溝２６との係合を外し、次に交換皿３０が傾斜面突起２９によって後方上方部に抜き出されていくという操作過程なので、操作感が柔らかく、脱着の際の衝撃が少なくて優れた脱着性を確保することができる。一方、装着する際には交換皿３０を上方から挿入するだけで、突条３４と凹溝２６が容易かつ確実に係合し、衝撃によって交換皿３０が偶発的に外れたりするおそれがない。
【００１８】
ところで、本実施例の如き化粧料容器にあっては、容器本体２０と蓋体１０とを開閉自在に連結する蝶番構成に関して、蓋体１０を容器本体２０に対してほぼ垂直に立たせた状態で停止させるタイプのものと、蓋体１０を容器本体２０に対してほぼ水平となるまで開放できるタイプのものとがある。前者は、使用者が蓋体１０の内側に取り付けられる鏡１２を利用する場合の便宜を考慮したものであるが、このタイプであると、当該化粧料容器を落としたときに蓋体１０と容器本体２０とがほぼＬ字状に立った状態で接地されることがあり、これを踏みつけて破損させるおそれがあって、これを考慮して、蓋体１０と容器本体２０とを長なりに拡げることができるようにしたものが後者である。ここに本実施例のものは、この後者のタイプの化粧料容器に対し適用して、きわめて好ましいものである。
【００１９】
図１０ないし図１２は、本発明の第２実施例に係る化粧料容器を示す。この実施例では、容器本体２０ａの上面には、交換皿３０ａを収納する凹部２３ａが形成され、その後壁上面２４ａは切欠されている。さらに、この凹部２３ａを画成する両側壁２５ａ，２５ａの内面には、係合手段を構成する、前後方向に延長する一対の突条４０，４０が形成されている。突条４０の上方部は図１１に示されるように、傾斜面４１，４１となっている。また、突条４０の後方部の底面からは、係合解除手段として縦リブ４２，４２が突出形成されている。この縦リブ４２の突出面は円弧状に形成されている。さらにまた、容器本体２０ａの凹部２３ａの後端部には、底面から突出した一対の傾斜面突起２９ａ，２９ａが形成され、上記と同様にリフト手段を構成する。
【００２０】
交換皿３０ａは、上記第１実施例の場合と同様の形状で、その両側壁３３ａ，３３ａの外面には、係合手段として、前後方向に延長する一対の突条３４ａ，３４ａが形成されている。そしてこの突条３４ａは、容器本体２０ａの突条４０より長く形成され、その下方部は図１２に示されるように、傾斜面３５ａとなっている。さらにその後端部は図１１に示されるように、傾斜面４３となっている。
【００２１】
上記のような構成の交換皿３０ａを水平にして容器本体２０ａの凹部２３ａ内に上方から押し込むと、図１２に示されるように、交換皿３０ａの突条３４ａは、その傾斜面３５ａを介して、凹部２３ａの突条４０の傾斜面４１上を摺動しつつこれを乗り越えて嵌入し、突条３４ａと突条４０とが係合する。このとき、縦リブ４２は、容器本体２０ａと交換皿３０ａとの間の摺動用空間Ａ内に位置している。
【００２２】
一方、上記のように装着された交換皿３０ａを外す場合は、まず、蓋体１０ａを開放して容器本体２０ａと水平状態になるように後方へ倒すと、交換皿３０ａの鍔部３６ａの後端部３７ａの、容器本体２０ａ後方への移動規制が解除される。この状態から交換皿３０ａを後方へ押すと、交換皿３０ａは摺動用空間Ａ内を後方へ移動する。そして、交換皿３０ａの突条３４ａ後端部の傾斜面４３が、凹部２３ａの突条４０後方の縦リブ４２に乗り上げることにより、容器本体２０ａおよび交換皿３０ａの側面が互いに弾性変形し、これにより、突条３４ａは、突条４０に対して少なくとも横方向に離脱する。さらに交換皿３０ａは、容器本体２０ａの傾斜面突起２９ａに案内されて後方上方部へ持ち上げられて抜き出され、これにより交換皿３０ａは容器本体２０ａから離脱されることとなる。その他の構成並びに作用は、上記第１実施例の場合と同様である。
【００２３】
図１３は、本発明の第３実施例に係る化粧料容器を示す。この実施例では、容器本体２０ｂの凹部２３ｂを画成する前壁４４の内面に、係合凹溝４５が形成されている。この係合凹溝４５の下方部は傾斜面４６となっている。一方、交換皿３０ｂの前壁４７外面には、係合突部４８が形成されている。この係合突部４８の下方部は傾斜面４９となっている。そして、係合突部４８が係合凹溝４５と係合する。
【００２４】
この構成において、蓋体１０ｂを閉じると、蓋体１０ｂの後端部内面に、交換皿３０ｂの鍔部３６ｂの後端部３７ｂ外面が当接するので、容器本体２０ｂの凹部２３ｂ内における交換皿３０ｂの前後方向移動を、より確実に阻止することができる。その他の構成並びに作用は、上記第１実施例の場合と同様である。
【００２５】
図１４は、本発明の第４実施例に係る化粧料容器を示す。この実施例では、容器本体２０ｃの凹部２３ｃの中央部底面に、リフト手段となる傾斜面突起５０が形成され、この傾斜面突起５０は、前方部に傾斜面５１を有している。
【００２６】
一方、交換皿３０ｃの外底面５２には、傾斜面突起５０と係合可能な凹陥部５３が形成され、その前端部は下降した傾斜面５４となっている。そして、容器本体２０ｃの凹部２３ｃ内に交換皿３０ｃを収納した状態では、交換皿３０ｃの凹陥部５３内で傾斜面突起５０の前方には隙間Ｂが形成され、交換皿３０ｃを後方へ移動させることにより、その傾斜面５４が傾斜面突起５０に案内されて交換皿３０ｃは持ち上げられて後方上方部へ抜き出され、これにより交換皿３０ｃを容器本体２０ｃから離脱できることとなる。その他の構成並びに作用は、上記第１実施例の場合と同様である。
【００２７】
図１５および図１６は、本発明の第５実施例に係る化粧料容器を示す。この実施例では、交換皿６０の側部上端に水平な鍔部６１が一体的に形成され、その端部は容器本体２０ｄの凹部２３ｄの上端部を覆っている。また、この鍔部６１の下面には、交換皿６０と凹部２３ｄの間の隙間に、可撓性を有する突片６２が垂下形成されている。さらに、突片６２の先端部外面には、係合手段としての突部６３が突出形成され、その下方部は傾斜面６４となっている。一方、凹部２３ｄには、係合手段として凹溝２６ｄが形成され、突部６３と係合可能となっている。この凹溝２６ｄの下方部は、傾斜面２８ｄとなっている。
【００２８】
上記のような構成の交換皿６０を水平にして容器本体２０ｄの凹部２３ｄ内に上方から押し込むと、交換皿６０の突片６２が内方へ可撓変形しつつ、その突部６３は傾斜面６４を介して凹部２３ｄの側壁２５ｄ間に嵌入し、その後弾性復帰して凹溝２６ｄと係合する。
【００２９】
また、上記のように装着された交換皿６０を外す場合は、上記第１実施例の場合と同様に、交換皿６０を容器本体２０ｄ後方へ押すと、交換皿６０は後方へ摺動し、その突片６２の突部６３は、凹溝２６ｄの後端部に形成される、上記第１実施例の傾斜面２７と同様な傾斜面に乗り上げつつ突片６２が内方へ可撓変形し、突部６３と凹溝２６ｄの係合が横方向に外れる。
【００３０】
このように本実施例では、可撓性を有する突片６２が内方に撓むことにより着脱の際の衝撃を吸収するので、交換皿６０内に収納された化粧料が着脱の際の衝撃により破損することを、より確実に防止することができる。その他の構成並びに作用は、上記第１実施例の場合と同様である。
【００３１】
図１７は、本発明の第６実施例に係る化粧料容器を示す。この実施例では、容器本体２０ｅの凹部２３ｅの側部底面から可撓性を有する可撓片７０が立設され、その上端部内面には、係合手段となる突部７１が突出形成されている。また、突部７１の上方部には、傾斜面７２が形成されている。一方、交換皿６５の側部上端には水平な鍔部６６が一体的に形成され、その端部は容器本体２０ｅの凹部２３ｅの上端部を覆っている。そして、交換皿６５の側壁外面には、係合手段となる可撓片７０の突部７１に係合可能な凹溝６７が形成され、その下方部には突部６８が形成されている。また、突部６８の下方部には、傾斜面６９が形成されている。
【００３２】
上記のような構成の交換皿６５を水平にして容器本体２０ｅの凹部２３ｅ内に上方から押し込むと、容器本体２０ｅの可撓片７０は、その傾斜面７２が交換皿６５の突部６８の傾斜面６９と摺接しつつ外方へ可撓変形し、可撓片７０の突部７１が突部６８を乗り越え、その後弾性復帰して交換皿６５の凹溝６７と係合する。
【００３３】
また、上記のように装着された交換皿６５を外す場合は、上記第１実施例の場合と同様に、交換皿６５を容器本体２０ｅ後方へ押すと、交換皿６５は後方へ摺動し、可撓片７０の突部７１は、凹溝６７の後端部に形成される、上記第１実施例の傾斜面２７と同様な傾斜面に乗り上げつつ可撓片７０が外方へ可撓変形し、突部７１と凹溝６７の係合が横方向に外れる。
【００３４】
このように本実施例では、可撓性を有する可撓片７０が外方に撓むことにより着脱の際の衝撃を吸収するので、交換皿６５内に収納された化粧料が着脱の際の衝撃により破損することを、確実に防止することができる。その他の構成並びに作用は、上記第１実施例の場合と同様である。
【００３５】
図１８は、本発明の第７実施例に係る化粧料容器を示す。この実施例では、容器本体２０ｆの凹部２３ｆの側壁２５ｆ内面に、係合手段となる突部７５が形成されている。突部７５の上方部には、傾斜面７６が形成されている。一方、交換皿３０ｆの側壁外面には、突部７５に係合可能な係合手段となる凹溝７７が形成され、その上方部には傾斜面７８が形成されている。
【００３６】
上記のような構成の交換皿３０ｆを水平にして容器本体２０ｆの凹部２３ｆ内に上方から押し込むと、交換皿３０ｆは、その外側面が凹部２３ｆの突部７５の傾斜面７６と摺接しつつ凹部２３ｆ内に嵌入し、突部７５が凹溝７７と係合する。本実施例では、係合解除手段としては、凹溝７７の後端部に形成される、上記第１実施例の傾斜面２７と同様な傾斜面を利用することができる。その他の構成並びに作用は、上記第１実施例の場合と同様である。
【００３７】
【発明の効果】
以上のように、本発明に係る化粧料容器では、容器本体と蓋体とをそれぞれの後端縁部で開閉自在に連結してなる化粧料容器において、容器本体内に形成した凹部内に、容器本体後方への摺動用空間を空けて、摺動自在に装着される交換皿と、交換皿と凹部との間に形成され、交換皿の摺動を許容しつつ、これら両者を上下方向に互いに係合させて、交換皿を凹部内に保持する、突条もしくは突部を含む係合手段と、係合手段で互いに係合された状態の交換皿と凹部との間の間隙に位置させて形成され、交換皿の摺動に従って、係合手段の突条もしくは突部が乗り上げることにより交換皿と凹部を横方向に互いに離隔させて、係合手段の係合を解除する係合解除手段とを備えたことを特徴とするので、容器本体内の凹部と交換皿との間に形成した係合手段がこれら両者を上下方向に互いに係合させて、交換皿が容器本体内に保持される一方、蓋体を開放した状態で交換皿を摺動用空間に向かって摺動させると、係合手段で互いに係合された状態の交換皿と凹部との間の間隙に位置させて形成された係合解除手段は、交換皿の摺動に従って係合手段の突条もしくは突部がこれに乗り上げることにより、容器本体の凹部と交換皿とを横方向に互いに離隔させるようになり、これにより係合手段による両者の上下方向の係合が外されて、交換皿を凹部から取り出すことができる。そして当該構成の本発明にあっては、交換皿と容器本体との係合及び解除のための別部品が不要であり、従って構造が簡単で製造性が良く、低コストで生産できる。そして、容器本体と交換皿との係合を解除する際には、交換皿を後方へ摺動させるだけでよく、容易に取り外すことができる。一方、装着する際には交換皿を上方から挿入するだけで、係合手段が上下方向から両者を確実に係合し、衝撃によって交換皿が偶発的に外れたりするおそれがない。
【００３８】
また、摺動用空間に形成され、交換皿の摺動に従ってこれをリフトアップさせるリフト手段を備えたので、交換皿の摺動に従って係合解除手段により係合手段の係合が外される際、交換皿はリフト手段によってリフトアップされ、これにより交換皿を凹部からスムーズに取り出すことができ、操作感が柔らかく、脱着の際の衝撃が少なくて優れた脱着性を確保することができる。
【図面の簡単な説明】
【図１】本発明の第１実施例に係る化粧料容器の要部分解斜視図である。
【図２】本発明の第１実施例に係る化粧料容器の上面図である。
【図３】本発明の第１実施例に係る化粧料容器の縦断面図である。
【図４】本発明の第１実施例に係る化粧料容器の要部横断面図である。
【図５】本発明の第１実施例に係る化粧料容器の交換皿を取り出す状態を示す要部縦断面図である。
【図６】本発明の第１実施例に係る化粧料容器の交換皿を装着した状態を示す要部上面図である。
【図７】本発明の第１実施例に係る化粧料容器の交換皿を装着した状態を示す要部横断面図である。
【図８】本発明の第１実施例に係る化粧料容器の交換皿を取り出す状態を示す要部上面図である。
【図９】本発明の第１実施例に係る化粧料容器の交換皿を取り出す状態を示す要部横断面図である。
【図１０】本発明の第２実施例に係る化粧料容器の要部分解斜視図である。
【図１１】本発明の第２実施例に係る化粧料容器の交換皿を装着した状態を示す要部上面図である。
【図１２】本発明の第２実施例に係る化粧料容器の交換皿を装着した状態を示す要部横断面図である。
【図１３】本発明の第３実施例に係る化粧料容器の縦断面図である。
【図１４】本発明の第４実施例に係る化粧料容器の縦断面図である。
【図１５】本発明の第５実施例に係る化粧料容器の交換皿を装着した状態を示す要部横断面図である。
【図１６】本発明の第５実施例に係る化粧料容器の交換皿を取り出す状態を示す要部横断面図である。
【図１７】本発明の第６実施例に係る化粧料容器の交換皿を装着した状態を示す要部横断面図である。
【図１８】本発明の第７実施例に係る化粧料容器の交換皿を装着した状態を示す要部横断面図である。
【符号の説明】
１０，１０ａ，１０ｂ  蓋体
２０，２０ａ，２０ｂ，２０ｃ，２０ｄ，２０ｅ，２０ｆ  容器本体
２３，２３ａ，２３ｂ，２３ｃ，２３ｄ，２３ｅ，２３ｆ  凹部
２７，４３  傾斜面
２９，２９ａ，５０  傾斜面突起
３０，３０ａ，３０ｂ，３０ｃ，３０ｆ，６０，６５  交換皿
Ａ  摺動用空間
【図１】
0003681421.tif 000002
【図２】
0003681421.tif 000003
【図３】
0003681421.tif 000004
【図４】
0003681421.tif 000005
【図５】
0003681421.tif 000006
【図６】
0003681421.tif 000007
【図７】
0003681421.tif 000008
【図８】
0003681421.tif 000009
【図９】
0003681421.tif 000010
【図１０】
0003681421.tif 000011
【図１１】
0003681421.tif 000012
【図１２】
0003681421.tif 000013
【図１３】
0003681421.tif 000014
【図１４】
0003681421.tif 000015
【図１５】
0003681421.tif 000016
【図１６】
0003681421.tif 000017
【図１７】
0003681421.tif 000018
【図１８】
0003681421.tif 000019